(57)【要約】      （修正有）【課題】製造コストと複雑さを改善した、暖房、換気、空調及び冷凍（ＨＶＡＣＲ）ユニットのためのプラスチックブロワを提供する。【解決手段】ブロワ５０は、複数のブロワ区分を含む。各区分は、第１のシュラウド５５、第１のシュラウドからブロワの縦軸方向に離間された第２のシュラウド６５、及びブレード６０を有する。ブレードは、ブレードの第１端が第１のシュラウドと接合され、ブレードの第２端が第２のシュラウドに接合されるように形成される。バンドは、複数のブロワ区分に固定される。【選択図】図２
0003232485.tif 000002
【実用新案登録請求の範囲】
【請求項１】
暖房、換気、空調及び冷凍（ＨＶＡＣＲ）ユニットのためのブロワにおいて、
複数のブロワ区分であって、各区分が、
第１のシュラウドと、
前記第１のシュラウドから前記ブロワの縦軸方向に離間された第２のシュラウドと、
ブレードであって、前記ブレードの第１端が前記第１のシュラウドに接合され、前記ブレードの第２端が前記第２のシュラウドに接合されたように形成されたブレードと、
前記複数のブロワ区分に固定されたバンドとを備えたブロワ。
【請求項２】
前記複数のブロワ区分が、プラスチック、金属、複合材料、又は印刷複合材料である、請求項１に記載のブロワ。
【請求項３】
前記複数のブロワ区分がそれぞれ、単一片、単一構造から形成された、請求項１に記載のブロワ。
【請求項４】
前記複数のブロワ区分の各区分の前記第１のシュラウドが、前記第１のシュラウドの第１の径方向縁上の突起と、前記第１のシュラウドの第２の径方向縁上の開口とを有し、前記第１及び第２の径方向縁が互いに円周方向に離間された、請求項１に記載のブロワ。
【請求項５】
前記複数のブロワ区分の第１の区分の前記突起が、前記複数のブロワ区分の第２の区分の前記開口に挿入された、請求項４に記載のブロワ。
【請求項６】
前記バンドが、締結具又は接着剤の１個以上によって前記複数のブロワ区分に固定された、請求項１に記載のブロワ。
【請求項７】
前記ブロワが、後ろ向きブレードを有する遠心ブロワである、請求項１に記載のブロワ。
【請求項８】
前記複数の区分内の区分の数が、前記ブロワのブレードの数に基づく、請求項１に記載のブロワ。
【請求項９】
前記複数の区分がそれぞれ同じである、請求項１に記載のブロワ。
【請求項１０】
前記バンドがリングである、請求項１に記載のブロワ。
【考案の詳細な説明】
【技術分野】
【０００１】
本開示は、一般に、暖房、換気、空調及び冷凍（ＨＶＡＣＲ）システムに関する。より具体的には、本開示は、ＨＶＡＣＲユニットのブロワを製造し組み立てるための方法及びシステムに関する。
【背景技術】
【０００２】
例えば空調システムを構築する際に通常使用されるＨＶＡＣＲシステムは、多くの場合、ファンなどの空気移動手段を含む。幾つかの例では、ファンは、遠心ファンでよい。遠心ファンは、結合される２つの部分として製造されることが多い。例えば、下シュラウドとブレード又は羽根とは、上シュラウドと接合される単一片として形成されうる。製造のコストと複雑さが課題になりうる。改善されたファン及び製造方法が必要とされる。
【考案の概要】
【課題を解決するための手段】
【０００３】
本開示は、一般に、暖房、換気、空調及び冷凍（ＨＶＡＣＲ）システムに関する。より具体的には、本開示は、ＨＶＡＣＲユニットのためのプラスチックブロワを製造し組み立てるための方法及びシステムに関する。
【０００４】
暖房、換気、空調及び冷凍（ＨＶＡＣＲ）ユニットのためのブロワが開示される。前記ブロワは、複数のブロワ区分を含む。各区分は、第１のシュラウド、前記第１のシュラウドから前記ブロワの縦軸方向に離間された第２のシュラウド、及びブレードを有する。前記ブレードは、前記ブレードの第１端が前記第１のシュラウドに接合され、前記ブレードの第２端が前記第２のシュラウドに接合されるように形成される。バンドが、前記複数のブロワ区分に固定される。一実施形態において、前記バンドは、前記複数のブロワ区分を保持し、前記区分が接合されたときに全体として前記ブロワの完全性を維持できる。
【０００５】
暖房、換気、空調及び冷凍（ＨＶＡＣＲ）ユニットのためのブロワを製造する方法が開示される。前記方法は、前記ブロワの複数の区分を形成することを含む。各区分は、第１のシュラウド、前記第１のシュラウドから前記ブロワの縦軸方向に離間された第２のシュラウド、及びブレードを含む。前記ブレードは、前記ブレードの第１端が前記第１のシュラウドに接合され、前記ブレードの第２端が前記第２のシュラウドと接合されるように形成される。前記方法は、更に、バンドを前記複数の区分に固定することを含む。
【０００６】
本開示の一部を構成し、本明細書に記載されたシステム及び方法を実施できる実施形態を示す添付図面を参照する。
【図面の簡単な説明】
【０００７】
【図１】一実施形態による熱伝達回路の概略図である。
【図２】一実施形態によるＨＶＡＣＲユニットのためのブロワを示す図である。
【図３】一実施形態による図２のブロワの底面図である。
【図４】一実施形態による図２と図３のブロワ５０の側面図である。
【図５】一実施形態による図２〜図４のブロワの複数の区分の１つを示す図である。
【図６】一実施形態によるブロワを製造する方法のフローチャートである。
【考案を実施するための形態】
【０００８】
類似の参照番号は全体を通して類似の部分を表す。
本開示は、一般に、暖房、換気、空調及び冷凍（ＨＶＡＣＲ）システムに関する。一例として、本開示は、ＨＶＡＣＲユニット用のプラスチックブロワを製造し組み立てるための方法及びシステムに関する。プラスチックブロワを製造し組み立てるための方法及びシステム、並びにそのような方法及びシステムによって得られるブロワは、ＨＶＡＣＲシステム又は製品の特定の実施態様に適用される要件なしに独立型ブロワを対象とすることを理解されよう。
【０００９】
ＨＶＡＣＲユニット用の遠心ブロワなどであるがこれに限定されないＨＶＡＣＲユニット用のブロワは、接合される２つの部分から製造されうる。例えば、幾つかのブロワは、プラスチックで作成され、例えば射出成形などによって２つの別個の部分で形成されうる。２つの別個の部分（多くの場合は、１つの部分として一緒のシュラウド及びブレードと、別の部分として別のシュラウド）が製造され接合される。ブロワの直径が大きくなるほど製造工程の複雑さも増す。
【００１０】
三次元印刷法がますます一般的になっている。しかしながら、ブロワは、射出成形の代わりに単純に三次元印刷できない。本明細書に記載されたような三次元印刷法を利用する１つの方法は、ブロワを複数の類似又は同一の部分に分割することを含む。次に、この部分は、選択的レーザ焼結（ＳＬＳ）、マルチジェットフュージョン（ＭＪＦ）、熱溶解積層（ＦＤＭ）などであるがこれらに限定されない三次元印刷法によって形成されうる。三次元印刷法により、寸法を良好に保持しかつ射出成形ブロワの性能に近づくようにブロワの個々の部分を形成できる。
【００１１】
本明細書に記載された実施形態において、ブロワは、単一片、単一構造として集合的に形成された第１のシュラウド、ブレード及び第２のシュラウドをそれぞれ含む複数の部分で形成される。組み立てられるとき、複数の部分は、ブレードを共通ハブのまわりに配列する。その結果、各部分のサイズは、ブロワ全体よりサイズが小さくなる。例えば、サイズは、ブロワ内ブレードの数の係数として小さくなる。即ち、６ブレードブロワは、個別に形成され組み立てられた６つの部分を含みうる。したがって、本明細書に記載された実施形態により、印刷された構成要素のサイズが、６ブレードブロワのブレード全体のサイズの６分の１になる。ブロワのブレードの数に基づいて同様に減少することを理解されたい（例えば、１２枚ブレードはサイズを１２分の１にする）。各個別の部分の全体寸法を小さくする結果として、反りなどの三次元印刷法による潜在的衝撃を低減できる。
【００１２】
一実施形態において、個々の部分はそれぞれ、１つ以上の突起と、別の部分からの１つ以上の突起を収容する１つ以上の開口とを有しうる。これにより、例えば、ブロワの組立工程が単純化されうる。
【００１３】
一実施形態において、代替として、個々の部分は、より小さい鋳型が利用されるようにモールド成形されうる。
【００１４】
本明細書に記載されたような「ＨＶＡＣＲユニット」は、一般に、単一圧縮器を含むか複数の圧縮器を含む冷凍ユニットを含みうる。幾つかの実施形態において、複数の圧縮器のうちの１つの圧縮器は、複数の圧縮器のうちの別の圧縮器より大きい能力を有する。幾つかの実施形態において、複数の圧縮器は、定速圧縮器である。
【００１５】
本明細書に記載された態様は、ブロワを利用する様々なタイプのＨＶＡＣＲユニット、機器及び／又はシステム（例えば、スプリットシステム、単一設備、屋上設備、水源ヒートポンプ、チラー、空気ハンドラなど）に適用されうる。一実施形態において、本明細書に記載された態様は、例えばガス炉、電気ヒータシステムなどと接続しそれらに空気流を提供するファンに適用されうる。一実施形態において、本明細書の記述は、トラック、トレーラ、バス、エアハンドラユニットなどの中のＨＶＡＣＲであるがこれらに限定されない輸送冷凍システム又は製品に実装されうるファンに適用されうる。
【００１６】
図１は、幾つかの実施形態による熱伝達回路１０の概略図である。熱伝達回路１０は、一般に、圧縮器１５、凝縮器２０、膨張器２５（例えば、膨張弁）及び蒸発器３０を含む。熱伝達回路１０は、典型的なものであり、追加の構成要素を含むように修正されうる。例えば、幾つかの実施形態において、熱伝達回路１０は、エコノマイザ熱交換器、１つ以上の流量制御装置（例えば、弁）、受けタンク、乾燥器、吸込液相熱交換器などを含みうる。幾つかの実施形態において、熱伝達回路１０は、複数の圧縮器１５を含みうる。幾つかの実施形態において、複数の圧縮器１５は、異なる能力を有する圧縮器を含みうる。
【００１７】
熱伝達回路１０は、一般に、空間（一般に調節空間と呼ばれる）内の環境条件（例えば、温度、湿度、空気品質など）を制御するために使用される様々なシステム内で適用されうる。システムの例には、暖房、換気及び空調（ＨＶＡＣ）システム、移動冷蔵システムなどが含まれるがこれらに限定されない。
【００１８】
熱伝達回路１０の構成要素は、流体接続される。熱伝達回路１０は、特に冷却モードで動作できる冷却システム（例えば、空調システム）であるように構成されうる。あるいは、熱伝達回路１０は、特に冷却モードと暖房／霜落しモードの両方で動作できるヒートポンプシステムであるように構成されうる。
【００１９】
熱伝達回路１０は、周知の原理により動作する。熱伝達回路１０は、伝熱流体又は媒体（例えば、水などの液体であるがこれらに限定されない）を加熱又は冷却するように構成されてもよく、この場合、熱伝達回路１０は、幾つかの実施形態では液体チラーシステムを表しうる。熱伝達回路１０は、代替として、伝熱媒体又は流体（例えば、空気などのガスであるがこれに限定されない）を加熱又は冷却するように構成されてもよく、この場合、熱伝達回路１０は、一般に、空気調和装置又はヒートポンプを表しうる。幾つかの実施形態において、空気調和装置又はヒートポンプは、例えば屋上ＨＶＡＣユニットなどに含まれうる。
【００２０】
動作において、圧縮器１５は、伝熱流体（例えば、冷媒など）を相対的低圧ガスから相対的高圧ガスに圧縮する。相対的高圧ガスは、圧縮器１５から放出され凝縮器２０内を流れる。周知の原理によれば、伝熱流体は、凝縮器２０内を流れ、熱を伝熱流体又は媒体（例えば、水、空気など）に排出し、それにより伝熱流体が冷却される。冷却された伝熱流体（このとき液体形態である）は膨張器２５に流れる。膨張器２５は、伝熱流体の圧力を低下させる。その結果、伝熱流体の一部がガス形態に変換される。伝熱流体（このとき液体とガスが混合された形態である）が蒸発器３０に流れる。伝熱流体は、蒸発器３０内を流れ、伝熱媒体（例えば、水、空気など）から、伝熱流体を加熱し、伝熱流体をガス形態に変換する熱を吸収する。次に、ガス伝熱流体は圧縮器１５に戻る。前述のプロセスは、熱伝達回路が例えば冷却モード（例えば、圧縮器１５が有効にされている間）で動作している間、続く。
【００２１】
図２は、一実施形態によれば、ＨＶＡＣＲユニット用のブロワ５０を示す。あるいは、ブロワ５０は、一実施形態によれば、遠心ブロワ５０、インペラ５０などと呼ばれうる。
【００２２】
ブロワ５０は、シュラウド５５（例えば、第１のシュラウド）、複数のブレード６０、及びシュラウド６５（例えば、第２のシュラウド）を含む。ブレードが、静止ブレード又は回転ブレードを使用するブロワ設計に適用できることを理解されよう。一実施形態において、本明細書のブロワ５０及び方法は、任意の遠心ブロワタイプに使用されうる。一実施形態において、ブロワ５０は、シュラウド付きインペラを表しうる。一実施形態において、ブロワは、遠心ブロワである。一実施形態において、遠心ブロワは、後ろ向きブレードを有する。本明細書に記載された概念が、異なるブレード形状（例えば、前向きなど）を有するシュラウド付きインペラに適用されうることを理解されたい。縦軸Ｌがブロワ５０の中央開口を通る。
【００２３】
ブロワ５０は、例えば、プラスチックで作成されうる。プラスチックは、例えば、三次元印刷法による製造に適したプラスチックでよい。ブロワ５０は、一般に、選択的レーザ焼結（ＳＬＳ）、マルチジェットフュージョン（ＭＪＦ）、熱溶解積層モデリング（ＦＤＭ）などであるがこれらに限定されない三次元印刷法によって形成される。ブロワを形成するために、ラピッドプロトタイピングを含むがこれに限定されない他の製法を使用してもよく、そのような製法は、選択的レーザ焼結（ＳＬＳ）、選択的レーザ溶融（ＳＬＭ）、ステレオリソグラフィ（ＳＬＡ）及び三次元金属印刷を含むことが理解されよう。一実施形態において、ＳＬＳは、例えば金属、プラスチック、セラミック、炭素化合物、ゴムなどの材料で処理されうる。三次元金属印刷は、一種の加法製造技術（即ち、減法でない）を含むことができ、これは、完成結果を得るために材料を除去する（例えば、回転又はミリングで）のではなく徐々に加えることを意味しうる。また、ブロワを得るために、シリコーン成形、鋳物などの他の製法が使用されうることも理解されよう。
【００２４】
一実施形態において、ブロワに使用される材料には、ポリアミド（例えば、ナイロン）、ポリカーボネート、これらの材料のいずれかのガラス繊維強化又は炭素繊維強化物、ＡＢＳ（アクリロニトリルブタジエンスチレン）、ＡＳＡ（アクリロニトリルスチレンアクリレート）などであるがこれらに限定されないプラスチック材料が含まれうることを理解されよう。
【００２５】
図３は、一実施形態によるブロワ５０の底面図を示す。
【００２６】
示された実施形態において、シュラウド６５は、複数のカットライン７０で示される。各カットライン７０は、ブロワ５０が製造のために個々の区分に分割される位置を表す。即ち、区分７５はそれぞれ、２本のカットライン７０によって区分され、換言すると、カットライン７０は、ブロワ５０の各区分７５の範囲を表す。
【００２７】
カットライン７０は、一実施形態では湾曲される。例示された実施形態は、１つの非限定的な例として湾曲されたカットライン７０を示す。カットライン７０が、個々のブロワ区分（例えば、ブロワ区分７５）を得ることができる任意の適切なカットラインでよいことを理解されよう。一実施形態において、ブロワ区分は、幾つかの状況で等しく形成された放射状ブロワ区分でよい。
【００２８】
他のタイプのカットラインには、例えば、直線カットライン、斜めに交わる直線、任意の適切に絡み合うパターンの線（例えば、さねはぎなど）、曲線を含むこれらの組み合わせが含まれる。
【００２９】
一実施形態において、カットライン７０と、従ってブロワ５０の各区分７５の幾何学形状は、ブロワ５０の各区分７５がブレード６０の１つを含むように形成されるように、選択される。更に、カットライン７０は、各区分７５が同じ又は実質的に同じになるように含まれる。本明細書では、「実質的に同じ」は、生じる製造公差などが同じことを意味する。同じ又は実質的に同じ区分７５を有すると、例えば、幾つかの部品及び部品を組み立てる複雑さを減らすことによって製造及び組立工程を単純化できる。
【００３０】
示された実施形態において、ブロワ５０は、７個の区分７５を含む。区分の数が７個より多くても少なくてもよいことを理解されたい。例えば、一実施形態では、ブロワ５０は、７個より少ない区分７５に分割されそれらの区分から作成されてもよく、別の実施形態では、ブロワ５０は、７個より多い区分７５に分割さそれらの区分から作成されてもよい。一実施形態では、ブロワ５０が形成される区分７５の数は、印刷される構成要素のサイズが縮小される係数を表す。例えば、示された実施形態は、７個のブレードと７個の区分７５を含む。その結果、製造工程は、ブロワ５０の７分の１のサイズの複数の構成要素を含み、従って、印刷される各構成要素のサイズは、ブロワ全体を単一片（更には、２個の部分が組み合わされるような）として印刷するより小さくなる。これにより、例えば、製造工程によって生じる熱変形の量を低減できる。
【００３１】
バンド８０が、複数のアパーチャ８５を介してシュラウド６５に固定される。バンド８０は、ねじ、ボルト、リベットなどであるがこれらに限定されない締結具によって固定されうる。一実施形態において、バンド８０は、接着剤によって固定されうる。一実施形態において、バンド８０は、熱かしめによって固定されてもよく、これにより、ハードウェア組み立ての必要性と組み立て時間を削減することにより工程全体が改善される。一実施形態において、バンド８０は、接着剤と締結具によって固定されうる。示された実施形態において、バンドはリングである。バンド８０の幾何学形状がシュラウド６５幾何学形状に基づきうることを理解されたい。一実施形態において、バンド８０は、モータをブロワ５０に固定するための取り付け位置も提供できる。
【００３２】
図４は、一実施形態による図２と図３のブロワ５０の側面図を示す。図４で分かるように、ブロワ５０はバンド８７を有する。バンド８０に類似したバンド８７は、ねじ、ボルト、リベットなどであるがこれらに限定されない締結具によって固定されうる。一実施形態において、バンド８７は、接着剤によって固定されうる。一実施形態において、バンド８７は、熱かしめによって固定されてもよく、これにより、ハードウェア組み立ての必要性と組み立て時間を削減することにより工程全体が改善されうる。一実施形態において、バンド８７は、接着剤と締結具によって固定されうる。示された実施形態において、バンドはリングである。バンド８７の幾何学形状がシュラウド６５幾何学形状に基づきうることを理解されたい。一実施形態において、バンド８７が外側バンドでよく、バンド８０が内側バンドでよい。
【００３３】
図５は、一実施形態による図２〜図４のブロワ５０の複数の区分７５のうちの１つを示す。区分７５は、シュラウド５５、ブレード６０及びシュラウド６５を含む。区分７５の径方向縁９０Ａ及び９０Ｂは、図３からのカットライン７０と位置合わせされる。３つの構成要素５５〜６５を含む区分７５は、単一片、単一構造からなる。一般に、区分７５は、三次元印刷法によって形成される。あるいは、個々の部分が射出成形法によって形成されうることを理解されたい。
【００３４】
示された実施形態において、径方向縁９０Ａが複数の突起９５を有し、径方向縁９０Ｂが複数の開口１００を有する。突起と開口が位置する径方向縁は交換可能であることを理解されよう。複数の突起９５と複数の開口１００が結合可能になるように設計される。例えば、別の区分（図示せず）が、突起９５をこの別の区分の開口１００に挿入するか、この別の区分の突起９５を区分７５の開口１００に挿入することによって、どちらの径方向縁９０Ａにも接合可能になる。これにより、例えば、バンド８０及び８５がブロワ５０に固定されるまで部分的に固定された接続を維持することによって、組み立て工程を単純化できる。
【００３５】
示された実施形態において、２個の突起９５と２個の開口１００が示される。これが例であり、突起９５の数と開口１００の数が同じであれば突起９５と開口１００の数が変化してもよいことを理解されたい。例えば、一実施形態では単一の突起９５と開口１００があってもよく、別の実施形態では３個以上の突起９５と３個以上の開口１００があってもよい。区分７５は、更に、バンド８０及び８５の締結具を収容するための複数のアパーチャ８５と複数のアパーチャ１１０を含む。バンド８０及び８５が接着剤によって接合される場合は、アパーチャ８５及び１１０が含まれてもよく含まれなくてもよいことを理解されたい。
【００３６】
図６は、一実施形態によるブロワを製造するための方法１２５のフローチャートを示す。方法１２５は、上の図２〜図５により示され記述されたようなブロワ５０を製造するための方法を表す。
【００３７】
１３０で、複数の個別の区分（例えば、区分７５）が形成される。区分７５は、射出成形法、三次元印刷法などによって形成されうる。区分７５はそれぞれ、第１及び第２のシュラウド部分５５，６５と、ブレード６０とを含む。複数の区分７５は、一般に、区分７５の組み立てを容易にするために、区分の径方向縁に沿った突起及び開口を有する。
【００３８】
１３５で、複数の個々の区分７５は、１つの区分の突起が別の区分の開口に組み込まれるように配置される。
【００３９】
１４０で、全ての区分７５が、ブロワ５０が組み立てられるような場所にあるとき、１つ以上のバンド（例えば、バンド８０及び８７）がブロワ５０に固定される。一実施形態において、これは、接着剤や１個以上の締結具などによる１個以上の固定を含みうる。
【００４０】
別の実施形態において、バンドは、最初に机などの表面に置かれてもよく、次に個々の部分が、バンドの上に置かれて突起と開口を使って互いに設置され、次に締結具がバンドを介して区分内に撃ち込まれることを理解されよう。
【００４１】
態様
態様１〜１０のいずれもが態様１１〜１８のいずれとも組み合わせられることに注意されたい。
【００４２】
態様１
暖房、換気、空調及び冷凍（ＨＶＡＣＲ）ユニットのためのブロワにおいて、複数のブロワ区分であって、各区分が、第１のシュラウド、第１のシュラウドからブロワの縦軸方向に離間された第２のシュラウド、及びブレードを含み、ブレードが、ブレードの第１端が第１のシュラウドと接合されブレードの第２端が第２のシュラウドに接合されるように形成された複数のブロワ区分と、複数のブロワ区分に固定されたバンドとを含む。
【００４３】
態様２
複数のブロワ区分が、プラスチック、金属、複合材料又は印刷複合材料である、態様１のブロワ。
【００４４】
態様３
複数のブロワ区分がそれぞれ、単一片、単一構造から形成された態様１又は２の一方のブロワ。
【００４５】
態様４
複数のブロワ区分のそれぞれの第１のシュラウドが、第１のシュラウドの第１の径方向縁上の突起と、第１のシュラウドの第２の径方向縁上の開口とを有し、第１及び第２の径方向縁が互いに円周方向に離間された、態様１〜３のいずれかのブロワ。
【００４６】
態様５
複数のブロワ区分の第１のブロワ区分の突起が、複数のブロワ区分の第２のブロワ区分の開口に挿入された態様４のブロワ。
【００４７】
態様６
バンドは、締結具又は接着剤の１個以上によって複数のブロワ区分に固定された、態様１〜５のいずれかのブロワ。
【００４８】
態様７
ブロワが、後ろ向きブレードを有する遠心ブロワである、態様１〜６のいずれかのブロワ。
【００４９】
態様８
複数の区分内の区分の数が、ブロワのためのブレードの数に基づく  態様１〜７のいずれかに記載のブロワ。
【００５０】
態様９
複数の区分がそれぞれ同じである、態様１〜８のいずれかのブロワ。
【００５１】
態様１０
バンドがリングである、態様１〜９のいずれかのブロワ。
【００５２】
態様１１
暖房、換気、空調及び冷凍（ＨＶＡＣＲ）ユニットのためのブロワを製造する方法において、ブロワの複数の区分を形成するステップであって、各区分が、第１のシュラウド、第１のシュラウドからブロワの縦軸方向に離間された第２のシュラウド、及びブレードを有し、ブレードが、ブレードの第１端が第１のシュラウドに接合され、ブレードの第２端が第２のシュラウドと接合されるように形成されるステップと、バンドを複数の区分に固定するステップとを含む方法。
【００５３】
態様１２
形成するステップが、塑性材料から複数の区分を形成するステップを含む、態様１１の方法。
【００５４】
態様１３
形成するステップが、三次元印刷工程を含む、態様１１又は１２のいずれかの方法。
【００５５】
態様１４
三次元印刷工程が、選択的レーザ焼結、マルチジェットフュージョン、又は熱溶解積層モデリングを含む、態様１３の方法。
【００５６】
態様１５
形成するステップが、射出成形工程を含む、態様１１又は１２のいずれかの方法。
【００５７】
態様１６
形成するステップが、各区分を単一片、単一構造として形成するステップを含む、態様１１〜１５のいずれかの方法。
【００５８】
態様１７
複数の区分を組み立ててブロワを形成するステップを更に含む、態様１１〜１６のいずれかの方法。
【００５９】
態様１８
組み立てるステップが、複数の区分の第１の区分の第１のシュラウドの第１の径方向縁上の突起を、複数の区分の第２の区分の第１のシュラウドの第２の径方向縁上の開口に挿入するステップを含む、態様１７の方法。
【００６０】
本明細書で使用される用語は、特定の実施形態について説明するためのものであり、限定するものではない。語「a」、「an」及び「the」は、特に明示されない限り、複数形も含む。語「comprises」及び／又は「comprising」は、本明細書で使用されるとき、述べた特徴、整数、ステップ、操作、要素及び／又は構成要素の存在を指定するが、１個以上の他の特徴、整数、ステップ、操作、要素及び／又は構成要素の存在又は追加を妨げない。
【００６１】
以上の記述に関して、特に、本開示の範囲から逸脱することなく、使用される構造材料、並びに部分の形状、サイズ及び配置の点で詳細に変更が行われうることを理解されたい。本明細書及び示された実施形態は、単に例示であり、開示の真の範囲と趣旨は、以下の実用新案登録請求の範囲によって示される。
【符号の説明】
【００６２】
１０  熱伝達回路
１５  圧縮器
２０  凝縮器
２５  膨張器
３０  蒸発器
５０  ブロワ
５５  シュラウド
６０  ブレード
６５  シュラウド
７０  カットライン
７５  区分
８０，８７  バンド
８５  アパーチャ
９０Ａ，９０Ｂ  径方向縁
９５  突起
１００  開口
【図１】
0003232485.tif 000003
【図２】
0003232485.tif 000004
【図３】
0003232485.tif 000005
【図４】
0003232485.tif 000006
【図５】
0003232485.tif 000007
【図６】
0003232485.tif 000008
【手続補正書】
【提出日】令和3年4月14日(2021.4.14)
【手続補正１】
【補正対象書類名】実用新案登録請求の範囲
【補正対象項目名】全文
【補正方法】変更
【補正の内容】
【実用新案登録請求の範囲】
【請求項１】
暖房、換気、空調及び冷凍（ＨＶＡＣＲ）ユニットのためのブロワは、
複数のブロワ区分と、前記複数のブロワ区分に固定されたバンドとを備え、
各区分は、
第１のシュラウドと、
前記第１のシュラウドから前記ブロワの縦軸方向に離間された第２のシュラウドと、
ブレードであって、前記ブレードの第１端が前記第１のシュラウドに接合され、前記ブレードの第２端が前記第２のシュラウドに接合されたように形成されたブレードと、を含む、ブロワ。
【請求項２】
前記複数のブロワ区分が、プラスチック、金属、複合材料、又は印刷複合材料である、請求項１に記載のブロワ。
【請求項３】
前記複数のブロワ区分がそれぞれ、単一片、単一構造から形成された、請求項１に記載のブロワ。
【請求項４】
前記複数のブロワ区分の各区分の前記第１のシュラウドが、前記第１のシュラウドの第１の径方向縁上の突起と、前記第１のシュラウドの第２の径方向縁上の開口とを有し、前記第１及び第２の径方向縁が互いに円周方向に離間された、請求項１に記載のブロワ。
【請求項５】
前記複数のブロワ区分の第１の区分の前記突起が、前記複数のブロワ区分の第２の区分の前記開口に挿入された、請求項４に記載のブロワ。
【請求項６】
前記バンドが、締結具又は接着剤の１個以上によって前記複数のブロワ区分に固定された、請求項１に記載のブロワ。
【請求項７】
前記ブロワが、後ろ向きブレードを有する遠心ブロワである、請求項１に記載のブロワ。
【請求項８】
前記複数の区分内の区分の数が、前記ブロワのブレードの数に基づく、請求項１に記載のブロワ。
【請求項９】
前記複数の区分がそれぞれ同じである、請求項１に記載のブロワ。
【請求項１０】
前記バンドがリングである、請求項１に記載のブロワ。